(57)【要約】【課題】構造が簡単で、ＳＩＭカードを容易に着脱させることができるＳＩＭカードホルダーを提供すること。【解決手段】本発明に係るＳＩＭカードホルダーは、ＳＩＭカードを保持するために用いられ、且つ台座を備える。前記台座は、２つのストッパー部を備え、各ストッパー部の上端の片側には、複数の止め片が設けられ、各ストッパー部の下端には、複数の支持片が連接され、前記止め片と前記支持片との間には、ＳＩＭカードを収納するための収容空間が形成され、前記ＳＩＭカードは、２つの前記ストッパー部によって前記収容空間内に保持される。【選択図】図１
2013225855.tif 000002
【特許請求の範囲】
【請求項１】
ＳＩＭカードを保持するために用いられるＳＩＭカードホルダーであって、前記ＳＩＭカードホルダーは、台座を備え、前記台座は、２つのストッパー部を備え、各ストッパー部の上端の片側には、複数の止め片が設けられ、各ストッパー部の下端には、複数の支持片が連接され、前記止め片と前記支持片との間には、ＳＩＭカードを収納するための収容空間が形成され、前記ＳＩＭカードは、２つの前記ストッパー部によって前記収容空間内に保持されることを特徴とするＳＩＭカードホルダー。
【請求項２】
各ストッパー部の自由端には、上面が傾斜している斜面を有するガイドブロックが突設され、前記ＳＩＭカードは、前記斜面により導かれて前記収容空間内にスライドすることを特徴とする請求項１に記載のＳＩＭカードホルダー。
【請求項３】
各ストッパー部は、「Ｌ」字状であり、且つ互いに垂直に連接する第一リブ及び第二リブを備えることを特徴とする請求項１または２に記載のＳＩＭカードホルダー。
【請求項４】
前記止め片は、前記第一リブ及び前記第二リブの片側から垂直に延伸し、且つ厚さが前記第一リブと前記第二リブの厚さより薄いことを特徴とする請求項３に記載のＳＩＭカードホルダー。
【請求項５】
前記ガイドブロックは、係止端を有し、前記ＳＩＭカードが前記収容空間内に完全に装着された後、前記ＳＩＭカードの一端は前記係止端に当接されることを特徴とする請求項２に記載のＳＩＭカードホルダー。
【請求項６】
本体と、ＳＩＭカードと、前記ＳＩＭカードを前記本体に保持させるためのＳＩＭカードホルダーと、を備える携帯式電子装置であって、
前記ＳＩＭカードホルダーは、台座を備え、前記台座は、２つのストッパー部を備え、各ストッパー部の上端の片側には、複数の止め片が設けられ、各ストッパー部の下端には、複数の支持片が連接され、前記止め片と前記支持片との間には、ＳＩＭカードを収納するための収容空間が形成され、前記ＳＩＭカードは、２つの前記ストッパー部によって前記収容空間内に保持されることを特徴とする携帯式電子装置。
【発明の詳細な説明】
【技術分野】
【０００１】
本発明は、ＳＩＭカードホルダーに関し、特に携帯式電子装置に用いられるＳＩＭカードホルダーに関するものである。
【背景技術】
【０００２】
無線通信技術の急速な発展に伴い、現在、携帯電話機或いはタブレットＰＣ等の携帯式電子装置が広範囲で使用されており、人々の日常生活に様々な便利さをもたらしている。また、携帯式電子装置の多機能化が進むにつれ、これに用いられる記憶チップの種類も益々多くなっている。例としては、ＳＤカード、ＣＦカード、ＳＩＭカード等が挙げられる。特に、ＳＩＭカードは、一種のＩＣチップが装着されたプラスチック製のカードであり、ユーザーの個人情報及び電話帳を記録する等の機能を有し、携帯式電子装置の内部に着脱可能に設けられている。ユーザーは、携帯式電子装置のＳＩＭカードを着脱して異なる携帯式電子装置に取り付けることで、様々な携帯電子装置を使用することができる。
【０００３】
しかし、上記のＳＩＭカードを収容して取り付けるために、携帯式電子装置の内部には、ＳＩＭカードに対応する係合空間或いは保持部品を予め設けなければならない。従来の携帯式電子装置用のＳＩＭカードホルダーは、一般的には、機体にトレイを装着して前記ＳＩＭカードを位置決めする。しかし、トレイと機体との組み立ては複雑であるため、速やかに組み立てることができない。
【発明の概要】
【発明が解決しようとする課題】
【０００４】
そこで、本発明は以上の問題点に鑑みてなされたものであり、構造が簡単で、ＳＩＭカードを容易に着脱させることができるＳＩＭカードホルダーを提供することを目的とする。
【課題を解決するための手段】
【０００５】
上記の課題を解決するために、本発明に係るＳＩＭカードホルダーは、ＳＩＭカードを保持するために用いられ、且つ台座を備える。前記台座は、２つのストッパー部を備え、各ストッパー部の上端の片側には、複数の止め片が設けられ、各ストッパー部のＺ軸方向に沿う根底部には、複数の支持片が連接され、前記止め片と前記支持片との間には、ＳＩＭカードを収納するための収容空間が形成され、前記ＳＩＭカードは、２つの前記ストッパー部によって前記収容空間内に保持される。
【０００６】
また、上記の課題を解決するために、本発明に係る携帯式電子装置は、本体と、ＳＩＭカードと、前記ＳＩＭカードを前記本体に保持させるためのＳＩＭカードホルダーと、を備え、前記ＳＩＭカードホルダーは、台座を備え、前記台座は、２つのストッパー部を備え、各ストッパー部の上端の片側には、複数の止め片が設けられ、各ストッパー部のＺ軸方向に沿う根底部には、複数の支持片が連接され、前記止め片と前記支持片との間には、ＳＩＭカードを収納するための収容空間が形成され、前記ＳＩＭカードは、２つの前記ストッパー部によって前記収容空間内に保持される。
【発明の効果】
【０００７】
従来の技術とは異なり、本発明に係るＳＩＭカードホルダーは、構造が簡単であり、且つ前記ＳＩＭカードホルダーの台座と携帯式電子装置の本体とは一体に成形されるため、組み立て工程を簡略化することができる。また、本発明のＳＩＭカードホルダーが電子装置の内部において占有する空間は小さいため、携帯式電子装置を薄型化できる。
【図面の簡単な説明】
【０００８】
【図１】本発明の実施形態に係るＳＩＭカードホルダーが、携帯式電子装置に設置された後の分解図である。
【図２】図１に示したＳＩＭカードホルダーを別の視点から見た図である。
【図３】本発明のＳＩＭカードホルダーにＳＩＭカードを装着する過程を示す図である。
【図４】本発明のＳＩＭカードホルダーにＳＩＭカードを装着した後の状態を示す図である。
【発明を実施するための形態】
【０００９】
本発明に係るＳＩＭカードホルダーは、携帯電話機、個人用携帯情報端末（ＰＤＡ）及びタブレットパソコン等の携帯式電子装置に用いられる。以下の実施形態において、携帯電話機を例として、本発明のＳＩＭカードホルダーを詳細に説明する。
【００１０】
図１及び図２に示すように、本発明の実施形態に係るＳＩＭカードホルダー２００は、携帯電話機１００の機体に設けられている。携帯電話機１００は、電池収容凹所１２が形成された本体１０及び回路基板４０を備える。ＳＩＭカードホルダー２００は、電池収容凹所１２の底面に設置されている。携帯電話機１００の電池（図示せず）を電池収容凹所１２に対応して装着した際、ＳＩＭカードホルダー２００は前記電池の下方に位置する。
【００１１】
ＳＩＭカードホルダー２００は、台座２０及びＳＩＭカード３０を備える。台座２０は、携帯電話機１００の本体１０と一体に成形され、且つ電池収容凹所１２の底面に突設されている。ＳＩＭカード３０は、この台座２０により、本体１０に位置決めされる及び係止される。
【００１２】
台座２０は、２つのストッパー部２２を備える。各ストッパー部２２は、略「Ｌ」字状であり、且つ互いに垂直に連接する第一リブ２２２及び第二リブ２２４を備える。第二リブ２２４の幅は、第一リブ２２２の幅より広い。第一リブ２２２及び第二リブ２２４には、複数の止め片２２６がそれぞれ設けられている。図２に示したように、止め片２２６は、第一リブ２２２或いは第二リブ２２４の上端の片側から垂直に延伸して形成され、且つその厚さは、第一リブ２２２と第二リブ２２４の厚さより薄い。第二リブ２２４の下端には、複数の支持片２２８が連接されている。これにより、止め片２２６と支持片２２８との間には、ＳＩＭカード３０を収納するための収容空間２４が形成される。収容空間２４の一端には、入口２４２が設けられる。ＳＩＭカード３０は、入口２４２を通り収容空間２４内に挿入される。
【００１３】
各第二リブ２２４の自由端には、ガイドブロック２６が突設されている。ガイドブロック２６の頂端には、斜面２６２が形成されている。ＳＩＭカード３０は、この斜面２６２により導かれて、収容空間２４内にスムーズにスライドして収容される。また、ガイドブロック２６の収容空間２４に向かう内側には、係止端２６４が設けられている。
【００１４】
また、１つのストッパー部２２の第二リブ２２４には、弧状凹溝２８が設けられている。この弧状凹溝２８によって、ＳＩＭカード３０を収容空間２４内に挿入する際に、ストッパー部２２は、収容空間２４の外側へ拡張し易くなり、ＳＩＭカード３０の取り付け操作を容易にする。
【００１５】
回路基板４０は、本体１０の背面に設けられている。また、回路基板４０には、複数の弾性接触片４２が設けられている。これらの弾性接触片４２は、ＳＩＭカード３０と電気的に導通する。
【００１６】
図３及び図４に示すように、ＳＩＭカード３０を取り付ける場合、ＳＩＭカード３０を収容空間２４の入口２４２に斜めにセットし、且つＳＩＭカード３０の一端の底面をガイドブロック２６の斜面２６２及び支持片２２８の上方に搭載させる。次いで、ＳＩＭカード３０の傾斜方向に沿ってＳＩＭカード３０に外力を加えると、ＳＩＭカード３０は支持片２２８により案内されて収容空間２４内にスライドする。引き続き外力を加えると、ＳＩＭカード３０の一端は、第一リブ２２２に当接され、ＳＩＭカード３０の他端はガイドブロック２６を越えて、当該ガイドブロック２６の係止端２６４に当接される。収容空間２４の幅はＳＩＭカード３０の幅よりやや小さいため、ＳＩＭカード３０を収容空間２４内に挿入する過程において、ＳＩＭカードホルダー２００の一方側のストッパー部２２は収容空間２４の外側へ少し変形する。ＳＩＭカード３０が収容空間２４内に完全に収容されると、２つのストッパー部２２は、両側からＳＩＭカード３０を挟持する。これにより、ＳＩＭカード３０は、収容空間２４内に安定して取付けられる。
【００１７】
ＳＩＭカード３０を取り外す場合、指先でＳＩＭカード３０の前記一端の反対側の他端を、収容空間２４の入口２４２の外側に向けてスライドさせて、ＳＩＭカード３０をガイドブロック２６の斜面２６２上にはい上がらせた後、引き続き外力を加えて、ＳＩＭカード３０を収容空間２４から離れる方向へ移動させて、ＳＩＭカード３０を収容空間２４から完全に引き出す。 
【００１８】
以上、本発明の好適な実施形態について詳細に説明したが、本発明は前記実施形態に限定されるものではなく、本発明の範囲内で種々の変形又は修正が可能であり、該変形又は修正も本発明の特許請求の範囲内に含まれるものであることは言うまでもない。
【符号の説明】
【００１９】
１０        本体
１２        電池収容凹所
２０        台座
２２        ストッパー部
２４        収容空間
２６        ガイドブロック
２８        弧状凹溝
３０        ＳＩＭカード
４０        回路基板
４２        弾性接触片
１００      携帯電話機
２００      ＳＩＭカードホルダー
２２２      第一リブ
２２４      第二リブ
２２６      止め片
２２８      支持片
２４２      入口
２６２      斜面
２６４      係止端
【図１】
2013225855.tif 000003
【図２】
2013225855.tif 000004
【図３】
2013225855.tif 000005
【図４】
2013225855.tif 000006